(57)【特許請求の範囲】
【請求項１】
物体側から順に、正のパワーを有する対物レンズ系と；コンデンサーレンズと；接眼レンズ系と；を備えた実像式ファインダーにおいて、対物レンズ系は、物体側から順に、正のパワーの第１レンズ群と；負のパワーの第２レンズ群と；正のパワーの第３レンズ群と；の３つのレンズ群からなり、広角から望遠に変倍するとき、第１レンズ群と第２レンズ群の群間隔は増大し、第２レンズ群と第３レンズ群間隔は減少し、第３レンズ群とコンデンサーレンズの間隔は増大するように、第２レンズ群は像側へ、第３レンズ群は物体側へ移動し、かつ、下記の条件式（１）ないし（４）を満足する高変倍実像式ファインダー。
（１）０．５＜｜ｍ2W｜＜１．０
（２）１．２７３≦｜ｍ2T｜
（３）０．５＜｜ｍ3W｜＜１．０
（４）１．２１７≦｜ｍ3T｜
但し、
ｍ2W：広角端における第２レンズ群の横倍率、
ｍ2T：望遠端における第２レンズ群の横倍率、
ｍ3W：広角端における第３レンズ群の横倍率、
ｍ3T：望遠端における第３レンズ群の横倍率。
【請求項２】
請求項１において、さらに下記の条件式（５）及び（６）を満足する高変倍実像式ファインダー。
（５）１．２７３≦｜ｍ2T｜＜１．７
（６）１．２１７≦｜ｍ3T｜＜１．７
【請求項３】
請求項１において、第１レンズ群は、変倍するとき移動しない高変倍実像式ファインダー。
【請求項４】
請求項１において、第１レンズ群と第２レンズ群の空気間隔をおいて互いに対向する面は、共に非球面である高変倍実像式ファインダー。
【請求項５】
請求項４において、第１レンズ群の非球面は、像面側に凸面を向けた正のパワーを有し、周辺になるに従って、正の面パワーが小さくなる非球面であり、第２レンズ群の非球面は、物体側に凹面を向けた負の面パワーを有し、周辺になるに従って負の面パワーが小さくなる非球面である高変倍実像式ファインダー。
【請求項６】
請求項１において、第２レンズ群は、１枚の両凹負レンズからなり、その両面が非球面である高変倍実像式ファインダー。
【請求項７】
請求項６において、両凹負レンズの両面の非球面は、周辺になるに従って、負の面パワーが小さくなる非球面である高変倍実像式ファインダー。
【請求項８】
請求項１において、対物レンズ系の正のパワーの第１レンズ群と、負のパワーの第２レンズ群と、正のパワーの第３レンズ群とはそれぞれ、１枚のレンズから構成されている高変倍実像式ファインダー。
【発明の詳細な説明】
【０００１】
【技術分野】
この発明は、コンパクトカメラ用等に使用される実像式変倍ファインダーの高変倍化に関する。
【０００２】
【従来技術及びその問題点】
コンパクトカメラ用の実像式変倍ファインダーの変倍化は３倍に満たないものが殆どであり、対物レンズ系は負レンズ群と正レンズ群の２群からなる２群ズーム方式が多い。
【０００３】
【発明の目的】
本発明は、対物レンズ系の構成、及びパワー配置を工夫することによって、３倍を越える高変倍化が得られ、しかも小型の実像式ファインダーを得ることを目的とする。
【０００４】
【発明の概要】
本発明の高変倍実像式ファインダーは、物体側から順に、正のパワーを有する対物レンズ系、対物レンズ系による像を接眼レンズ系に導くためのコンデンサーレンズ、及び接眼レンズ系から構成される実像式ファインダーにおいて、対物レンズ系は、物体側から順に、正のパワーの第１レンズ群と、負のパワーの第２レンズ群と、正のパワーの第３レンズ群との３つのレンズ群からなり、広角から望遠に変倍するとき、第１、第２レンズ群の群間隔は増大し、第２、第３レンズ群間隔は減少し、第３レンズ群とコンデンサーレンズの間隔は増大するように、第２レンズ群は像側へ、第３レンズ群は物体側へ移動し、かつ、次の条件式を満足することを特徴とする。
（１）０．５＜｜ｍ2W｜＜１．０
（２）１．２７３≦｜ｍ2T｜
（３）０．５＜｜ｍ3W｜＜１．０
（４）１．２１７≦｜ｍ3T｜
但し、
ｍ2W：広角端における第２レンズ群の横倍率、
ｍ2T：望遠端における第２レンズ群の横倍率、
ｍ3W：広角端における第３レンズ群の横倍率、
ｍ3T：望遠端における第３レンズ群の横倍率、
である。
【０００５】
本発明の高変倍実像式ファインダーは、さらに次の条件式を満足することが望ましい。
（５）１．２７３≦｜ｍ2T｜＜１．７
（６）１．２１７≦｜ｍ3T｜＜１．７
【０００６】
また、本発明の高変倍実像式ファインダーは、変倍するとき、第２、第３レンズ群のみを動かして、第１レンズ群は移動させないことができ、鏡筒の機械構成を単純化できる。
【０００７】
本発明の高変倍実像式ファインダーは、好ましくは、第１レンズ群と第２レンズ群の空気間隔をおいて互いに対向する面を、共に非球面とすることが好ましい。
より具体的には、第１レンズ群の非球面は、像面側に凸面を向けた正のパワーを有し、周辺になるに従って、正の面パワーが小さくなる非球面とし、第２レンズ群の非球面は、物体側に凹面を向けた負の面パワーを有し、周辺になるに従って負の面パワーが小さくなる非球面とすることが好ましい。
【０００８】
本発明の実像式ファインダーにおいて、第２レンズ群は、その両面を非球面とした１枚の両凹負レンズから構成することができる。この両凹負レンズの両面の非球面は、周辺になるに従って、負の面パワーが小さくなる非球面とすることが好ましい。
【０００９】
また、対物レンズ系の正のパワーの第１レンズ群と、負のパワーの第２レンズ群と、正のパワーの第３レンズ群とはそれぞれ、１枚のレンズから構成することができる。
【００１０】
【発明の実施例】
実像式変倍ファインダーの対物レンズ系において、従来よく知られている、負レンズ群と正レンズ群の２群ズーム方式を採用して、３倍以上の高変倍化を達成しようとすると、変倍機能を有するレンズ群は正の第２レンズ群のみであるので、その移動量が増大し、小型化を達成することが困難となる。
これに対し、本発明は、対物レンズ系を、物体側から順に、正、負、正の少なくとも３つのレンズ群から構成させ、条件式（１）、（２）、（３）、（４）を満足するようなパワー配置を持たせることによって、負の第２レンズ群と正の第３レンズの両方に変倍機能を持たせたことに一つの特徴がある。さらに対物レンズ系内の２つのレンズ群に変倍機能を持たせることだけでなく、両方のレンズ群ともに、等倍を含む倍率の大きい領域で同程度の変倍比を持たせることによって、高変倍化と小型化を達成できたものである。
【００１１】
条件式（１）、（２）は、第２レンズ群の広角端及び望遠端における横倍率に関するものであり、条件式（３）、（４）は、第３レンズ群の広角端及び望遠端における横倍率に関するものである。
【００１２】
条件式（１）の下限を越えると、２群ズーム方式に近くなり、正の第３レンズ群（２群ズーム方式の第２レンズ群に相当）の移動量が増大し、小型化が困難となる。また上限を越えると、第２レンズ群の移動による収差の変動が増大し、収差補正が困難となる。条件式（２）の下限を越えると、変倍比を大きくする目的が達成できない。
【００１３】
条件式（３）の下限を越えると、第２レンズ群の移動量が増大し、小型化が困難となり、上限を越えると、第３レンズ群に移動による収差の変動が増大し、収差補正が困難となる。条件式（４）の下限を越えると、変倍比を大きくする目的が達成できない。
【００１４】
条件式（５）、（６）は、第２、第３レンズ群の横倍率の上限を規定するものである。変倍比を大きくするためには、条件式（２）、（４）に示すような下限以上の横倍率が必要であるが、小型化のために各レンズ群の構成枚数を１〜２枚としたとき、望遠側の収差を補正するためには、横倍率を条件式（５）、（６）の上限以下とすることが望ましい。
【００１５】
第１レンズ群は、変倍には寄与しないので、変倍するとき移動しない（固定されている）ことが機構的に簡単で好ましい。
【００１６】
なお、本発明では、相対的に間隔が変化する正の第１レンズ群と負の第２レンズ群のそれぞれのレンズ群内で、構成枚数１〜２枚で収差補正を行なうために、第１、第２レンズ群の双方に、少なくとも１面の非球面を設けることが好ましい。この非球面は、第１、第２レンズ群の空気間隔を挟んで互いに対向する面に設けることにより、収差を良好に補正できる。
【００１７】
これらの非球面は両方とも、中心から周辺になるに従って、パワーの小さくなるような非球面、つまり、第１レンズ群の最終面（第２レンズ群と対向する面）のように像面側に凸面を向けた正の面パワーであるときは、周辺になるに従って、正の面パワーが小さくなる非球面がよく、反対に、第２レンズ群の最初の面（第１レンズ群と対向する面）のように物体側に凹面を向けた負の面パワーであるときは、周辺になるに従って負の面パワーが小さくなるような非球面がよい。このような非球面を用いることによって、各レンズ群内の収差補正が良好となるだけでなく、各面の収差量が小さくなるので、非球面形状や偏心等の製作誤差による性能劣化の影響を小さくすることができる。
【００１８】
また、小型化にするには、負の第２レンズ群を１枚のレンズで構成するのがよい。第２レンズ群は、最もパワーの大きいレンズ群であるので、１枚のレンズから構成するときには両凹負レンズとし、収差を補正するためには、両面ともに、非球面とするのが好ましい。この両凹レンズの両面の非球面は、周辺になるに従って負の面パワーが小さくなる非球面とすると、第２レンズ群内の収差補正が良好となり、また、製作誤差による性能劣化の影響も小さい。
【００１９】
次に、具体的な実施例を示す。
［実施例１］
図１から図４は、本発明の高変倍実像式ファインダーの第１の実施例を示すものである。
【００２０】
このレンズ系の具体的数値データを表１に示し、ワイド端及びテレ端のレンズ構成図を図１及び図３に示す。図示例は、物体側より、カバーガラスＡ、第１レンズ群１１、第２レンズ群１２、第３レンズ群１３、カバーガラスＢ（ミラー用）、コンデンサレンズ群１４、フィルタ（ファインダ内表示用）１５、プリズム（正立光学系）１６、接眼レンズ群１７、カバーガラスＣからなっている。第１レンズ群１１から第３レンズ群１３は、対物レンズ系を構成するもので、この例では、第１、第２、第３レンズ群１１、１２、１３はそれぞれ１枚のレンズからなっており、第２レンズ群は、両凹の単負レンズからなっている。
【００２１】
図２及び図４は、実施例１のワイド端及びテレ端における諸収差を示している。諸収差図及び表中、ＳＡは球面収差、ＳＣは正弦条件、ｄ線、ｇ線、Ｃ線は、それぞれの波長における、球面収差によって示される色収差と倍率色収差、Ｓはサジタル、Ｍはメリディオナルを示している。
【００２２】
表および図面中、ωは半画角、ＥＲはアイリング、ｆｏ  は対物レンズ群の焦点距離、ｆｅ  は接眼レンズ群の焦点距離を表す。Ｒは曲率半径、Ｄはレンズ間隔、Ｎｄ  はｄ線の屈折率、νｄ  はｄ線のアッベ数を示す。
【００２３】
【表１】
0003554366.tif 000002
0003554366.tif 000003
【００２４】
［実施例２］
図５から図８は、本発明の高変倍実像式ファインダーの第２の実施例を示すもので、図５、図７はワイド端及びテレ端の時のレンズ構成図である。この例では、第１レンズ群１１が、第１レンズ１１−１と第２レンズ１１−２の接合レンズからなっており、フィルタ１５が２枚のフィルタ１５−１と１５−２の貼合せからなっている。この他は、実施例１と同じである。
【００２５】
このレンズ系の具体的数値データを表２に示し、ワイド端及びテレ端における諸収差をそれぞれ図６及び図８に示す。
【００２６】
【表２】
0003554366.tif 000004
0003554366.tif 000005
【００２７】
［実施例３］
図９から図１２は、本発明の高変倍実像式ファインダーの第３の実施例を示すものである。図９、図１１はワイド端及びテレ端の時のレンズ構成図である。この例では、第３レンズ群１３が第１レンズ１３−１と第２レンズ１３−２の接合レンズからなり、フィルタ１５が２枚のフィルタ１５−１と１５−２の貼合せからなっている。この他は、実施例１と同じである。
【００２８】
このレンズ系の具体的数値データを表３に示し、ワイド端及びテレ端における諸収差をそれぞれ図１０及び図１２に示す。
【００２９】
【表３】
0003554366.tif 000006
0003554366.tif 000007
【００３０】
［実施例４］
図１３から図１６は、本発明の高変倍実像式ファインダーの第４の実施例を示すもので、図１３、図１５はワイド端及びテレ端の時のレンズ構成図である。この例では、第１レンズ群１１が第１レンズ１１−１と第２レンズ１１−２の接合レンズからなり、第３レンズ群１３が第１レンズ１３−１と第２レンズ１３−２の接合レンズからなり、フィルタ１５が２枚のフィルタ１５−１と１５−２の貼合せからなっている。この他は、実施例１と同じである。
【００３１】
このレンズ系の具体的数値データを表４に示し、ワイド端及びテレ端における諸収差をそれぞれ図１４及び図１６に示す。
【００３２】
【表４】
0003554366.tif 000008
0003554366.tif 000009
【００３３】
［実施例５］
図１７から図２０は、本発明の高変倍実像式ファインダーの第５の実施例を示すもので、図１７、図１９はワイド端及びテレ端の時のレンズ構成図である。この例では、フィルタ１５が２枚のフィルタ１５−１と１５−２の貼合せからなっている。この他は、実施例１と同じである。
【００３４】
このレンズ系の具体的数値データを表５に示し、ワイド端及びテレ端における諸収差をそれぞれ図１８及び図２０に示す。
【００３５】
【表５】
0003554366.tif 000010
0003554366.tif 000011
【００３６】
［実施例６］
図２１から図２４は、本発明の高変倍実像式ファインダーの第６の実施例を示すもので、図２１、図２３はワイド端及びテレ端の時のレンズ構成図である。この例では、第１レンズ群１１が第１レンズ１１−１と第２レンズ１１−２の接合レンズからなり、フィルタ１５が２枚のフィルタ１５−１と１５−２の貼合せからなっている。この他は、実施例１と同じである。
【００３７】
このレンズ系の具体的数値データを表６に示し、ワイド端及びテレ端における諸収差をそれぞれ図２２及び図２４に示す。
【００３８】
【表６】
0003554366.tif 000012
0003554366.tif 000013
【００３９】
［実施例７］
図２５から図２８は、本発明の高変倍実像式ファインダーの第７の実施例を示すもので、図２５、図２７はワイド端及びテレ端の時のレンズ構成図である。この例では、第３レンズ群１３が第１レンズ１３−１と第２レンズ１３−２の接合レンズからなり、フィルタ１５が２枚のフィルタ１５−１と１５−２の貼合せからなっている。この他は、実施例１と同じである。
【００４０】
このレンズ系の具体的数値データを表７に示し、ワイド端及びテレ端における諸収差をそれぞれ図２６及び図２８に示す。
【００４１】
【表７】
0003554366.tif 000014
0003554366.tif 000015
【００４２】
［実施例８］
図２９から図３２は、本発明の高変倍実像式ファインダーの第８の実施例を示すもので、図２９、図３１はワイド端及びテレ端の時のレンズ構成図である。この例では、第１レンズ群１１が第１レンズ１１−１と第２レンズ１１−２の接合レンズからなり、第３レンズ群１３が第１レンズ１３−１と第２レンズ１３−２の接合レンズからなり、フィルタ１５が２枚のフィルタ１５−１と１５−２の貼合せからなっている。この他は、実施例１と同じである。
【００４３】
このレンズ系の具体的数値データを表８に示し、ワイド端及びテレ端における諸収差をそれぞれ図３０及び図３２に示す。
【００４４】
【表８】
0003554366.tif 000016
0003554366.tif 000017
【００４５】
実施例１〜８の条件式（１）〜（４）の結果を表９に示す。
【表９】
0003554366.tif 000018
実施例８  ０．６９８    １．３０９    ０．７７２    １．２７６
【００４６】
表９から明かなように、実施例１ないし実施例８の各条件式に対応する数値は、いずれも条件式（１）ないし（４）を満足している。また、条件式（５）及び（６）をも満足している。本発明の高変倍実像式ファインダーは、各収差も比較的よく補正されている。
【００４７】
【発明の効果】
本発明の高変倍実像式ファインダーによれば、３倍を越える高変倍でありながら、小型な高変倍実像式ファインダーが得られる。
【図面の簡単な説明】
【図１】本発明による高変倍実像式ファインダーの第１の実施例のワイド端のレンズ構成図である。
【図２】図１の高変倍実像式ファインダーにおける諸収差図である。
【図３】本発明による高変倍実像式ファインダーの第１の実施例のテレ端のレンズ構成図である。
【図４】図３の高変倍実像式ファインダーにおける諸収差図である。
【図５】本発明による高変倍実像式ファインダーの第２の実施例のワイド端のレンズ構成図である。
【図６】図５の高変倍実像式ファインダーにおける諸収差図である。
【図７】本発明による高変倍実像式ファインダーの第２の実施例のテレ端のレンズ構成図である。
【図８】図７の高変倍実像式ファインダーにおける諸収差図である。
【図９】本発明による高変倍実像式ファインダーの第３の実施例のワイド端の示すレンズ構成図である。
【図１０】図９の高変倍実像式ファインダーにおける諸収差図である。
【図１１】本発明による高変倍実像式ファインダーの第３の実施例のテレ端のレンズ構成図である。
【図１２】図１１の高変倍実像式ファインダーにおける諸収差図である。
【図１３】本発明による高変倍実像式ファインダーの第４の実施例のワイド端のレンズ構成図である。
【図１４】図１３の高変倍実像式ファインダーにおける諸収差図である。
【図１５】本発明による高変倍実像式ファインダーの第４の実施例のテレ端のレンズ構成図である。
【図１６】図１５の高変倍実像式ファインダーにおける諸収差図である。
【図１７】本発明による高変倍実像式ファインダーの第５の実施例のワイド端のレンズ構成図である。
【図１８】図１７の高変倍実像式ファインダーにおける諸収差図である。
【図１９】本発明による高変倍実像式ファインダーの第５の実施例のテレ端のレンズ構成図である。
【図２０】図１９の高変倍実像式ファインダーにおける諸収差図である。
【図２１】本発明による高変倍実像式ファインダーの第６の実施例のワイド端のレンズ構成図である。
【図２２】図２１の高変倍実像式ファインダーにおける諸収差図である。
【図２３】本発明による高変倍実像式ファインダーの第６の実施例のテレ端のレンズ構成図である。
【図２４】図２３の高変倍実像式ファインダーにおける諸収差図である。
【図２５】本発明による高変倍実像式ファインダーの第７の実施例のワイド端のレンズ構成図である。
【図２６】図２５の高変倍実像式ファインダーにおける諸収差図である。
【図２７】本発明による高変倍実像式ファインダーの第７の実施例のテレ端のレンズ構成図である。
【図２８】図２７の高変倍実像式ファインダーにおける諸収差図である。
【図２９】本発明による高変倍実像式ファインダーの第８の実施例のワイド端のレンズ構成図である。
【図３０】図２９の高変倍実像式ファインダーにおける諸収差図である。
【図３１】本発明による高変倍実像式ファインダーの第８の実施例のテレ端のレンズ構成図である。
【図３２】図３１の高変倍実像式ファインダーにおける諸収差図である。
【図１】
0003554366.tif 000019
【図２】
0003554366.tif 000020
【図３】
0003554366.tif 000021
【図４】
0003554366.tif 000022
【図５】
0003554366.tif 000023
【図６】
0003554366.tif 000024
【図７】
0003554366.tif 000025
【図８】
0003554366.tif 000026
【図９】
0003554366.tif 000027
【図１０】
0003554366.tif 000028
【図１１】
0003554366.tif 000029
【図１２】
0003554366.tif 000030
【図１３】
0003554366.tif 000031
【図１４】
0003554366.tif 000032
【図１５】
0003554366.tif 000033
【図１６】
0003554366.tif 000034
【図１７】
0003554366.tif 000035
【図１８】
0003554366.tif 000036
【図１９】
0003554366.tif 000037
【図２０】
0003554366.tif 000038
【図２１】
0003554366.tif 000039
【図２２】
0003554366.tif 000040
【図２３】
0003554366.tif 000041
【図２４】
0003554366.tif 000042
【図２５】
0003554366.tif 000043
【図２６】
0003554366.tif 000044
【図２７】
0003554366.tif 000045
【図２８】
0003554366.tif 000046
【図２９】
0003554366.tif 000047
【図３０】
0003554366.tif 000048
【図３１】
0003554366.tif 000049
【図３２】
0003554366.tif 000050